(57)【要約】 【課題】  複数の記録層を有する多層ディスクに対して、複数の記録層への同時記録を適切に行うことができる光ピックアップ及び情報記録再生装置を提供する。【解決手段】  厚み方向に複数の記録層が形成された光ディスクに対して、光ビームを照射する光ピックアップは、複数の光ビームを出射する光ビーム出射手段と、複数の光ビームを各々異なる記録層に集光させる対物レンズと、を備える。光ビーム出射手段は、複数の光ビームの各々が対応する記録層上に形成する集光点が、記録層内を通過する他の光ビームと重ならないように、光ビームを出射する。これにより、光ピックアップは、複数の記録層への同時記録を適切に行うことができる。【選択図】      図２
2006164374.tif 000002
【特許請求の範囲】
【請求項１】
厚み方向に複数の記録層が形成された光ディスクに対して、光ビームを照射する光ピックアップであって、
複数の光ビームを出射する光ビーム出射手段と、
前記複数の光ビームを各々異なる前記記録層に集光させる対物レンズと、を備え、
前記光ビーム出射手段は、前記複数の光ビームの各々が対応する前記記録層上に形成する集光点が、前記記録層内を通過する他の光ビームと重ならないように、前記光ビームを出射することを特徴とする光ピックアップ。
【請求項２】
前記複数の記録層で発生する収差を補正するように、前記光ビーム出射手段が出射した少なくとも一の光ビームの収差を補正する収差補正手段を更に備えることを特徴とする請求項１に記載の光ピックアップ。
【請求項３】
前記複数の記録層間における偏芯を除去するように、前記光ビーム出射手段が出射した少なくとも一の光ビームをトラッキング方向に移動する移動手段を更に備えることを特徴とする請求項１又は２に記載の光ピックアップ。
【請求項４】
前記複数の光ビームは第１の光ビームと第２の光ビームを含み、
前記光ビーム出射手段は、前記対物レンズの中心軸に沿って前記第１の光ビームを出射し、前記対物レンズの中心軸に対して所定角度ずらして前記第２の光ビームを出射することを特徴とする請求項１乃至３のいずれか一項に記載の光ピックアップ。
【請求項５】
前記所定角度は、少なくとも前記第１の光ビームの集光点と前記第２の光ビームとが重ならない場合における、前記第１の光ビームの集光点と前記第２の光ビームの集光点との前記光ディスクの接線方向または半径方向に沿った距離と、前記対物レンズの焦点距離とに基づいて求められることを特徴とする請求項４に記載の光ピックアップ。
【請求項６】
前記収差補正手段は、前記第２の光ビームの収差を補正する位置に設けられることを特徴とする請求項４に記載の光ピックアップ。
【請求項７】
前記光ディスクに対する前記光ビームの進行方向において、前記第２の光ビームの集光点は、前記第１の光ビームの集光点より先行していることを特徴とする請求項４に記載の光ピックアップ。
【請求項８】
前記光ディスクに対する前記光ビームの進行方向において、前記第２の光ビームの集光点は、前記第１の光ビームの集光点より後行していることを特徴とする請求項４に記載の光ピックアップ。
【請求項９】
前記第２の光ビームは、前記第１の光ビームの集光点が位置する前記記録層における未記録領域、又は記録済み領域のいずれか一方のみを常に透過することを特徴とする請求項４に記載の光ピックアップ。
【請求項１０】
前記第２の光ビームの集光点は、前記第１の光ビームの集光点に対して、前記光ディスクの半径方向にずれていることを特徴とする請求項４に記載の光ピックアップ。
【請求項１１】
光ディスクに情報を記録し、且つ前記光ディスクに記録された情報を再生する情報記録再生装置であって、
請求項１乃至１０のいずれか一項に記載の光ピックアップを備えることを特徴とする情報記録再生装置。
【発明の詳細な説明】
【技術分野】
【０００１】
本発明は、光ディスクに対して光ビームを照射する光ピックアップに関する。
【背景技術】
【０００２】
従来から、ＤＶＤ（Digital Video Disc又はDigital Versatile Disc）±Ｒ若しくはＤＶＤ±ＲＷ等のデータの書き込み可能な光ディスクの中には、各種データの記録される記録層が１層のみ形成された単層ディスクの他に、複数の記録層を有する多層ディスクが存在している。例えば、現在商品化されているものでは、記録層を一層だけ備えた片面１層型ＤＶＤや、片面に２層の記録層を備えた片面２層型ＤＶＤなどがある。この片面１層型ＤＶＤでは最大記録容量は約４．７ＧＢであるのに対して、片面２層型ＤＶＤでは最大記録容量は約８．５ＧＢとなっている。このように、記録層が増加するほど光ディスクの最大記録容量は増加する。
【０００３】
ところで、上記のような多層ディスクに対して、情報の記録及び記録された情報の再生を行うことが可能な情報記録再生装置は、情報の記録処理においては、通常、１つの記録層にのみ記録し、この際には他の記録層に対しては何もしていなかった。例えば、情報記録再生装置は、第０記録層を全て記録してから、第１記録層を記録するといった記録処理を行っていた。したがって、最大記録容量は増加するものの、多層ディスクに対する記録速度は単層ディスクに対する記録速度と変わらなかった。なお、単層ディスクに対する記録速度、言い換えると１つの記録層への記録速度は、情報記録再生装置や光ディスクの機械的な特性などから、ＤＶＤでは１６倍程度の記録速度が限界とされている。
【０００４】
特許文献１は、多層ディスクの初期化処理に関し、２層に対して同時に初期化処理を行う技術を記載している。２層に対して同時に初期化を行うことにより初期化速度の増加が期待できるが、特許文献１に記載された技術では、通常のデータの記録に用いるものよりも太い光ビームを用いた初期化処理のみが可能であり、通常のデータの記録を２層同時に適切に行うことはできない。
【０００５】
【特許文献１】特開２００４−２２１１６号公報
【発明の開示】
【発明が解決しようとする課題】
【０００６】
本発明が解決しようとする課題は上記のようなものが例として挙げられる。本発明は、複数の記録層を有する多層ディスクに対して、複数の記録層への同時記録を適切に行うことが可能な光ピックアップ、及び情報記録再生装置を提供することを課題とする。
【課題を解決するための手段】
【０００７】
請求項１に記載の発明は、厚み方向に複数の記録層が形成された光ディスクに対して、光ビームを照射する光ピックアップは、複数の光ビームを出射する光ビーム出射手段と、前記複数の光ビームを各々異なる前記記録層に集光させる対物レンズと、を備え、前記光ビーム出射手段は、前記複数の光ビームの各々が対応する前記記録層上に形成する集光点（複数の光ビームの各々が対応する記録層上に集光する点）が、前記記録層内を通過する光ビームと重ならないように、前記光ビームを出射することを特徴とする。
【発明を実施するための最良の形態】
【０００８】
本発明の好適な実施形態では、厚み方向に複数の記録層が形成された光ディスクに対して、光ビームを照射する光ピックアップは、複数の光ビームを出射する光ビーム出射手段と、前記複数の光ビームを各々異なる前記記録層に集光させる対物レンズと、を備え、前記光ビーム出射手段は、前記複数の光ビームの各々が対応する前記記録層上に形成する集光点が、前記記録層内を通過する他の光ビームと重ならないように、前記光ビームを出射する。
【０００９】
上記の光ピックアップは、光ビームを光ディスクに照射することによって、光ディスクに情報を記録すると共に、光ディスクに記録された情報を再生する。詳しくは、光ピックアップは、複数の光ビームを出射する光ビーム出射手段と、複数の光ビームを各々異なる記録層に集光させる対物レンズと、を備えている。即ち、複数の記録層を有する光ディスクに対して、複数の光ビームを各々異なる記録層に対して集光させることにより、光ピックアップは、複数の記録層への同時記録、及び複数の記録層に記録された情報の同時再生を行うことができる。これにより、１層のみに対して記録及び再生の処理を行う比較例に係る光ピックアップと比較すると、上記の光ピックアップは、複数の記録層に対して同時に記録及び再生の処理を行うため、光ディスクへの記録速度及び再生速度を速くすることができる。
【００１０】
更に、上記の光ビーム出射手段は、複数の光ビームの各々が対応する記録層上に集光する点である集光点が、記録層内を通過する他の光ビームと重ならないように構成されている。即ち、各記録層上に形成される光ビームの集光点には、他のビームが照射されることがない。こうするのは、情報が記録される集光点に、他の記録層を記録するための光ビームが照射されると、この集光点において光ビームの干渉が生じて、記録される信号に不具合が生じる場合があるためである（以下、このような現象を「クロスライト」と呼ぶ）。そのため、光ビーム出射手段は、各集光点に、他の記録層を記録するための光ビームが照射されないように、各光ビームを出射する。これにより、光ピックアップは、複数の記録層に対して同時に記録を行っても、記録される信号に生じるクロスライトを抑制することができ、正確に記録を行うことができる。また、上記の光ピックアップは、一枚の対物レンズによって複数の光ビームを集光しているので、複数の対物レンズを用いる比較例の構成と比較した場合、小型且つ簡便に構成することができる。
【００１１】
上記の光ピックアップの一態様では、前記複数の記録層で発生する収差を補正するように、前記光ビーム出射手段が出射した少なくとも一の光ビームの収差を補正する収差補正手段を更に備える。
【００１２】
この態様では、光ピックアップは、収差を補正する収差補正手段を有している。対物レンズは、複数の記録層上の集光点が記録層内を通過する光ビームと重ならないように、光ビームを集光しているため、複数の光ビームのうち対物レンズの中心軸に沿って入射しない光ビームには球面収差やコマ収差などの収差が発生する。このような収差を補正手段が補正することにより、光ピックアップは、複数の記録層への同時記録、及び複数の記録層に記録された情報の同時再生を精度良く行うことができる。
【００１３】
上記の光ピックアップの他の一態様では、前記複数の記録層間における偏芯を除去するように、前記光ビーム出射手段が出射した少なくとも一の光ビームをトラッキング方向に移動する移動手段を更に備える。
【００１４】
この態様では、光ピックアップは、光ビーム出射手段が出射した少なくとも一の光ビームをトラッキング方向に移動する移動手段を有している。移動手段が光ビームをトラッキング方向に適切に移動させることにより、複数の記録層間で発生する偏芯を除去することが可能となる。これにより、光ピックアップは、複数の記録層への同時記録、及び複数の記録層に記録された情報の同時再生を精度良く行うことができる。
【００１５】
１つの好適な例では、前記複数の光ビームは第１の光ビームと第２の光ビームを含み、前記光ビーム出射手段は、前記対物レンズの中心軸に沿って前記第１の光ビームを出射し、前記対物レンズの中心軸に対して所定角度ずらして前記第２の光ビームを出射する。これにより、第１の光ビームの集光点は記録層上において第２の光ビームと重ならず、かつ、第２の光ビームの集光点も記録層上において第１の光ビームと重ならなくすることができる。
【００１６】
更に好適には、前記所定角度は、少なくとも前記第１の光ビームの集光点と前記第２の光ビームとが重ならない場合における、前記第１の光ビームの集光点と前記第２の光ビームの集光点との前記光ディスクの接線方向または半径方向に沿った距離と、前記対物レンズの焦点距離とに基づいて求められる。即ち、一方の集光点が他方の光ビームと重ならないように、記録層上で第１の光ビームの集光点と第２の光ビームの集光点との距離がまず決定される。そして、その距離と、対物レンズの焦点距離とに基づいて所定角度を決定し、第２の光ビームが対物レンズの中心軸に対してその所定角度だけずれて入射するように第２の光ビーム出射手段を構成することができる。
【００１７】
上記の例では、前記収差補正手段は、前記第２の光ビームの収差を補正する位置に設けられることが好ましい。第２の光ビームは対物レンズの中心軸に対して所定角度ずらして入射されるので、第２の光ビームにはその分の収差が発生する。よって、第２の光ビームの光学系に収差補正装置を設けて、収差を除去すればよい。
【００１８】
さらに好適な例では、前記光ディスクに対する前記光ビームの進行方向において、前記第２の光ビームの集光点を、前記第１の光ビームの集光点より先行させるか、又は、後行させることが好ましい。これにより、第１及び第２の光ビームの一方の集光点が他方の光ビームと重なることが防止できる。
【００１９】
更に好適には、前記第２の光ビームは、前記第１の光ビームの集光点が位置する前記記録層における未記録領域、又は記録済み領域のいずれか一方のみを常に透過する。これにより、第２の光ビームの集光点が偏芯によって光ディスクの半径方向に変動しても、第２の光ビームは第１の光ビームが照射される記録層の記録状態に影響を受けることがないため、第２の光ビームは記録層に適切にデータを記録することが可能となる。
【００２０】
上記の例では、前記第２の光ビームの集光点は、前記第１の光ビームの集光点に対して、前記光ディスクの半径方向にずらすことが好ましい。これにより、第２の光ビームは、第１の光ビームが照射される記録層における未記録領域、又は記録済み領域のいずれか一方のみを透過することが可能となる。
【００２１】
また、上記の光ピックアップは、光ディスクに情報を記録し、且つ光ディスクに記録された情報を再生する情報記録再生装置に好適に適用することができる。
【実施例】
【００２２】
以下、図面を参照して本発明の好適な実施例について説明する。
【００２３】
［光ディスクの構成］
まず、本実施例に係る情報記録再生装置によって、情報の記録及び記録された情報の再生が行われる光ディスクＤＫの構成について、図１を用いて説明する。
【００２４】
図１は、２層型の光ディスクＤＫを示す概略構成図である。図１（ａ）は、光ディスクＤＫの平面図を示し、図１（ｂ）は、図１（ａ）中の切断線Ｘ−Ｘ’に沿った光ディスクＤＫの断面図を示す。光ディスクＤＫは、直径１２ｃｍ程度の円板形状であり、中心にセンターホール１０が設けられている。光ディスクＤＫの例としては、例えばＤＶＤ±ＲやＤＶＤ±ＲＷなどが挙げられる。図１（ｂ）に示すように、光ディスクＤＫは、透明基板１１ａ、１１ｂとの間に、第０記録層Ｌ０と第１記録層Ｌ１が積層された構造を有している。詳しくは、第０記録層Ｌ０と第１記録層Ｌ１の間には、図示しない誘電体層や反射膜や接着層などが形成されている。また、第０記録層Ｌ０と第１記録層Ｌ１の各記録領域には、センターホール１０を中心にスパイラル状或いは同心円状に、図示しないグルーブトラック及びランドトラック等のトラックが交互に設けられている。このトラック上には、データがＥＣＣブロックの単位で分割されて記録される。
【００２５】
［情報記録再生装置の構成］
次に、本発明の実施例に係る情報記録再生装置ＲＰの構成について、図２を用いて説明する。
【００２６】
情報記録再生装置ＲＰは、信号処理部ＳＰと、レーザ駆動回路Ｄと、ＬＰＰ検出回路ＬＰＤと、制御部Ｃと、フォーカスサーボ回路ＦＳと、トラッキングサーボ回路ＴＳと、位相ディテクタ回路ＰＤと、サーボドライブ回路Ｓと、再生部Ｐと、本実施例に係る光ピップアップＰＵと、を備えている。情報記録再生装置ＲＰは、光ディスクＤＫに対して、光ビームを照射することによって、情報を記録すると共に、光ディスクＤＫに記録された情報を再生する装置である。なお、本実施例に係る情報記録再生装置ＲＰは、図１に示したような、第０記録層Ｌ０と第１記録層Ｌ１が形成された２層型の光ディスクＤＫに対して処理を行う。
【００２７】
ここで、本実施例に係る光ピックアップＰＵの構成について説明する。光ピップアップＰＵは、対物レンズ１０２と、対物レンズ１０２を保持するアクチュエータ部１０１と、集光レンズ１０４と、ビームスプリッタＢＳと、第０記録層用ホログラムレーザ（以下では、「ホログラムレーザ」を、単に「ＨＲ」と表記する）１１１と、第１記録層用ＨＲ１１２と、ピエゾ素子１２０と、収差補正素子１２１と、を備える。
【００２８】
第０記録層用ＨＲ１１１及び第１記録層用ＨＲ１１２は、図示しないレーザチップや基板や受光素子やホログラム素子などを有して構成されている。レーザチップと受光素子は同一の基板上に配置されており、ホログラム素子は基板の光ビームの出力側に対向して設けられている。レーザチップは光ビームを出力し、受光素子は入力される光ビームを受光する。ホログラム素子は、レーザチップから出力された光ビームを、そのまま透過させると共に、当該光ビームの入射面と反対の面から入射される光ビームを屈折させて、基板上の受光素子に集光させる。このように、第０記録層用ＨＲ１１１及び第１記録層用ＨＲ１１２は、光源及びディテクタとしての機能を有している。
【００２９】
第０記録層用ＨＲ１１１は、破線で示す光ビームＡ１を出射し、第１記録層用ＨＲ１１２は、一点鎖線で示す光ビームＢ１を出射する。この場合、第０記録層用ＨＲ１１１及び第１記録層用ＨＲ１１２は、各々から、互いに異なる偏光方向に対して直線偏光した光ビームを出力する。具体的には、第０記録層用ＨＲ１１１から出射される光ビームＡ１はＰ偏光（ＴＥ波）しており（以下、この光ビームを「Ｐ偏光光ビーム」と呼ぶ）、第１記録層用ＨＲ１１２から出射される光ビームＢ１はＳ偏光（ＴＭ波）している（以下、この光ビームを「Ｓ偏光光ビーム」と呼ぶ）。このように、第０記録層用ＨＲ１１１及び第１記録層用ＨＲ１１２は、光ビーム出射手段として機能する。
【００３０】
本実施例に係る光ピックアップＰＵにおいては、第１記録層用ＨＲ１１２にピエゾ素子１２０が設けられている点で、第０記録層用ＨＲ１１１側と構成が異なる。また、第０記録層用ＨＲ１１１から出射されたＰ偏光光ビームＡ１はそのままビームスプリッタＢＳに入射しているが、第１記録層用ＨＲ１１２から出射されたＳ偏光光ビームＢ１は収差補正素子１２１を介してビームスプリッタＢＳに入射している。
【００３１】
ピエゾ素子１２０は、制御部Ｃから供給される制御信号（電圧）Ｓ１５に相当する量だけ伸縮し、第１記録層用ＨＲ１１２から出射される光ビームＢ１をトラッキング方向に移動させるように、第１記録層用ＨＲ１１２を移動させる。以上のように、ピエゾ素子１２０は移動手段として機能する。
【００３２】
収差補正素子１２１は、サーボドライブ回路Ｓから供給される駆動信号Ｓ８によって駆動される。具体的には、収差補正素子１２１は、図示しない液晶層や透明電極やガラス基板などを備えて構成される。収差補正素子１２１は、例えば透明電極間に所定の電圧が印加されることで、液晶層中に含まれる液晶分子の配向方向が変化し、その屈折率が変化する。以上のように、収差補正素子１２１は補正手段として機能する。
【００３３】
ここで、ピエゾ素子１２０及び収差補正素子１２１を駆動したときのＳ偏光光ビームＢ１の変化について、図３を用いて説明する。図３は、第１記録層用ＨＲ１１２、ピエゾ素子１２０、及び収差補正素子１２１を拡大して示した図である。
【００３４】
図３（ａ）は、ピエゾ素子１２０を駆動したときのＳ偏光光ビームＢ１の変化について示した図である。矢印Ｅ１で示すように、ピエゾ素子１２０を制御して第１記録層用ＨＲ１１２を移動させると、Ｓ偏光光ビームＢ１は、符号Ｂ１ａや符号Ｂ１ｂで示すように光路が変更される。これにより、Ｓ偏光光ビームＢ１がビームスプリッタＢＳに入射する位置が変更される。即ち、Ｓ偏光光ビームＢ１が、光ディスクＤＫに集光される位置が変更される。
【００３５】
通常、多層ディスクは、複数の記録層を個々に作成して貼り合せるため、各々の記録層の中心がずれることによってトラックの位置がずれる場合がある。このため、第０記録層Ｌ０にトラッキングしている場合には、第１記録層ＬＯはこのずれ量だけ相対的に偏芯してしまう場合がある。本実施例に係る光ピックアップＰＵにおいては、第１記録層用ＨＲ１１２を移動可能なようにピエゾ素子１２０を構成しているため、ピエゾ素子１２０を制御して第１記録層用ＨＲ１１２を適切に移動させることにより、上記のような、第０記録層Ｌ０と第１記録層Ｌ１との間の偏芯を吸収することが可能となる。
【００３６】
なお、ピエゾ素子１２０は、第１記録層用ＨＲ１１２をフォーカス方向に移動させるように構成してもよい。例えば光ディスクＤＫの種類などによって第０記録層Ｌ０と第１記録層Ｌ１との距離が異なる場合があるが、上記のように構成したピエゾ素子１２０を制御して、第１記録層用ＨＲ１１２をフォーカス方向に移動させることにより、この距離の違いを補正することが可能となる。
【００３７】
図３（ｂ）は、収差補正素子１２１を駆動したときのＳ偏光光ビームＢ１の変化について示した図である。収差補正素子１２１を制御すると、収差補正素子１２１の屈折率が変化し、収差補正素子１２１を通過するＳ偏光光ビームＢ１は符号Ｂ１ｃや符号Ｂ１ｄで示すような光ビームとなる。したがって、収差補正素子１２１に供給する駆動信号Ｓ８を制御することにより、第１記録層用ＨＲ１１２が出射するＳ偏光光ビームＢ１が対物レンズ１０２に入射する際の、対物レンズ１０２上の位置や対物レンズ１０２に入射する入射角を調節することができる。このように収差補正素子１２１を制御することにより、球面収差やコマ収差などの収差の補正を行うことが可能となる。
【００３８】
なお、詳細は後述するが、本実施例に係る光ピックアップＰＵは、第０記録層用ＨＲ１１１と第１記録層用ＨＲ１１２から出射された光ビームを１枚の対物レンズ１０２を用いて光ディスクＤＫ上の異なる位置に集光させる（具体的には、Ｐ偏光光ビームＡ２が集光した位置に、Ｓ偏光光ビームＢ２が重ならないように集光させる）ために、第１記録層用ＨＲ１１２から出射されたＳ偏光光ビームＢ１を対物レンズ１０２に対して斜めに（即ち、対物レンズの中心軸に対して意図的に所定角度シフトさせて）入射させているので、上記したような収差が生じる可能性が高い。したがって、この収差を補正するために、収差補正素子１２１は、第１記録層用ＨＲ１１２から出射されるＳ偏光光ビームＢ１のみに対して収差の補正を行っている。
【００３９】
さらに図２に戻って説明を行う。第０記録層用ＨＲ１１１から出射されたＰ偏光光ビームＡ１及び、第１記録層用ＨＲ１１２から出射されて収差補正素子１２１を通過したＳ偏光光ビームＢ１は、ビームスプリッタＢＳに入射する。
【００４０】
ビームスプリッタＢＳは、Ｓ偏光を反射し、Ｐ偏光を透過させる性質を有している。したがって、ビームスプリッタＢＳは、第０記録層用ＨＲ１１１から出射されたＰ偏光光ビームＡ１を集光レンズ１０４の方向へ透過させ、且つ、第１記録層用ＨＲ１１２から出射されて収差補正素子１２１を通過したＳ偏光光ビームＢ１を集光レンズ１０４の方向へ反射させる。
【００４１】
集光レンズ１０４には、ビームスプリッタＢＳを透過したＰ偏光光ビームＡ１及びビームスプリッタＢＳによって反射されたＳ偏光光ビームＢ１が入射される。集光レンズ１０４は、これらの入射した光ビームを略平行光にして、対物レンズ１０２に入射させる。
【００４２】
対物レンズ１０２は、アクチュエータ部１０１に設けられている。アクチュエータ部１０１は、対物レンズ１０２の配置位置を変更するための駆動機構を有している。アクチュエータ部１０１は、フォーカスサーボ回路ＦＳ、及びトラッキングサーボ回路ＴＳから供給されるサーボ制御信号Ｓ１１、Ｓ１３に従って、対物レンズ１０２の位置をフォーカス方向及びトラッキング方向に移動させる。
【００４３】
対物レンズ１０２には、集光レンズ１０４によって略平行光にされたＰ偏光光ビームＡ１及びＳ偏光光ビームＢ１が入射される。対物レンズ１０２は、これらの光ビームを集光して、光ディスクＤＫに照射する。詳しくは、対物レンズ１０２は、Ｐ偏光光ビームＡ２を光ディスクＤＫの第０記録層Ｌ０に集光し、Ｓ偏光光ビームＢ２を光ディスクＤＫの第１記録層Ｌ１に集光する。
【００４４】
本実施例に係る光ピックアップＰＵは、第０記録層Ｌ０上におけるＰ偏光光ビームＡ２の集光点Ｐ０に、Ｓ偏光光ビームＢ２が重ならないように構成されている。言い換えると、Ｓ偏光光ビームＢ２が集光点Ｐ０を通過しないように光ピックアップＰＵが構成されている。詳しくは、Ｐ偏光光ビームＡ２は対物レンズ１０２の中心軸に沿って対物レンズ１０２に入射し、Ｐ偏光光ビームＡ２の集光点Ｐ０は、対物レンズ１０２の中心軸ＣＡ上に概ね位置する（即ち、Ｐ偏光光ビームＡ２の光軸は概ね中心軸ＣＡに一致している）。これに対して、Ｓ偏光光ビームＢ２は対物レンズ１０２の中心軸からずれて対物レンズ１０２に入射し、Ｓ偏光光ビームＢ２の集光点Ｐ１は、この中心軸ＣＡ上に位置しない。即ち、Ｐ偏光光ビームＡ２の光軸に対して、Ｓ偏光光ビームＢ２の光軸はずれている。このような場所に集光点Ｐ１が位置するのは、第１記録層用ＨＲ１１２から出射されたＳ偏光光ビームＢ１を、対物レンズ１０２の入射面に対して斜めに入射させているからである。
【００４５】
このように、本実施例に係る光ピックアップＰＵは、第１記録層用ＨＲ１１２から出射されたＳ偏光光ビームＢ１が対物レンズ１０２に対して斜めに入射するように構成されている。具体的には、Ｓ偏光光ビームＢ１が対物レンズ１０２に対して斜めに入射するように、光ピックアップＰＵ内の第１記録層用ＨＲ１１２の配置角度や配置位置が設計されている。以上のように、集光点Ｐ０にＳ偏光光ビームＢ２が重ならないようにすることにより、第０記録層Ｌ０に記録される信号及び第１記録層Ｌ１に記録される信号にはクロスライトが生じない。即ち、光ピックアップＰＵは、２層型の光ディスクＤＫに対して、各光ビームＡ２及びＢ２を集光させた状態で２層の記録層への情報の同時記録を適切に行うことができる。
【００４６】
第０記録層Ｌ０に集光されたＰ偏光光ビームＡ２は、第０記録層Ｌ０で反射して（以下、この反射光を「Ｐ偏光反射光」という）、再度、対物レンズ１０２及び集光レンズ１０４、更にビームスプリッタＢＳを透過して第０記録層用ＨＲ１１１に入射する。即ち、第０記録層用ＨＲ１１１は、Ｐ偏光反射光を受光する。一方、第１記録層Ｌ１に集光されたＳ偏光光ビームＢ２は、第１記録層Ｌ１で反射して（以下、この反射光を「Ｓ偏光反射光」という）、再度、対物レンズ１０２及び集光レンズ１０４を透過し、更にビームスプリッタＢＳによって反射されて第１記録層用ＨＲ１１２に入射する。即ち、第１記録層用ＨＲ１１２は、Ｓ偏光反射光を受光する。
【００４７】
次に、情報記録再生装置ＲＰの光ピックアップＰＵ以外の構成要素について説明する。
【００４８】
信号処理部ＳＰは、入力端子ＩＮを有しており、制御部Ｃから供給される制御信号Ｓ１７に基づいて、入力端子ＩＮを介して外部から入力されたデータに信号処理を施し、記録信号としてレーザ駆動回路Ｄに出力する。なお、制御信号Ｓ１７には、第０記録層用ＨＲ１１１に対する制御信号と第１記録層用ＨＲ１１２に対する制御信号が含まれている。
【００４９】
レーザ駆動回路Ｄは主として増幅回路により構成され、信号処理部ＳＰから入力された記録信号を増幅した後、光ピックアップＰＵの第０記録層用ＨＲ１１１及び第１記録層用ＨＲ１１２に記録信号を供給する。レーザ駆動回路Ｄにおける増幅率は信号処理部ＳＰにより制御され、光ディスクＤＫにデータを記録する場合には、光ピックアップＰＵから光ディスクＤＫに相変化を生じさせることができるエネルギー量（以下、「記録パワー」という）の光ビームが出力されるように増幅率が制御される。一方、光ディスクＤＫに記録されているデータを再生する場合、光ディスクＤＫにおいて相変化が生じないエネルギー量（以下、「再生パワー」という）の光ビームが光ピックアップＰＵから出力されるように増幅率が制御される。
【００５０】
フォーカスサーボ回路ＦＳは、第０記録層用ＨＲ１１１から出力される受光信号Ｓ１０に基づいてフォーカスエラー信号を生成し、生成したフォーカスエラー信号に基づき補正量を算出する。受光信号Ｓ１０は、第０記録層用ＨＲ１１１が受光したＰ偏光反射光を複数の受光素子などにより受光して得られる、各受光素子毎の受光光量を示す信号である。フォーカスサーボ回路ＦＳは、算出した補正量に対応するサーボ制御信号Ｓ１１をアクチュエータ部１０１に供給する。即ち、フォーカスサーボ回路ＦＳは、サーボ制御信号Ｓ１１を供給することによってアクチュエータ部１０１を制御し、対物レンズ１０２の光ディスクＤＫに対する距離を調整する。
【００５１】
トラッキングサーボ回路ＴＳは、第０記録層用ＨＲ１１１から出力される受光信号Ｓ１２に基づいてトラッキングエラー信号を生成し、生成したトラッキングエラー信号に基づき補正量を算出する。受光信号Ｓ１２は、第０記録層用ＨＲ１１１が受光したＰ偏光反射光を複数の受光素子などにより受光して得られる、各受光素子毎の受光光量を示す信号である。トラッキングサーボ回路ＴＳは、算出した補正量に対応するサーボ制御信号Ｓ１３をアクチュエータ部１０１に供給する。即ち、トラッキングサーボ回路ＴＳは、サーボ制御信号Ｓ１３を供給することによってアクチュエータ部１０１を制御し、対物レンズ１０２を光ディスクの径方向（トラッキング方向）に移動させる。
【００５２】
再生部Ｐは、出力端子ＯＵＴを有しており、制御部Ｃから供給される制御信号Ｓ１６に基づいて、第０記録層用ＨＲ１１１及び第１記録層用ＨＲ１１２から供給される受光信号Ｓ２、Ｓ３に対応した再生データを出力端子ＯＵＴに出力する。
【００５３】
ＬＰＰ検出回路ＬＰＤは、第０記録層用ＨＲ１１１から供給される受光信号Ｓ２からＬＰＰ信号成分を抽出すると共に、第１記録層用ＨＲ１１２から供給される受光信号Ｓ３からＬＰＰ信号成分を抽出する。そして、ＬＰＰ検出回路ＬＰＤは、検出した両ＬＰＰ信号成分に対応するＬＰＰ検出信号Ｓ６を位相ディテクタ回路ＰＤに供給する。
【００５４】
位相ディテクタ回路ＰＤは、ＬＰＰ検出回路ＬＰＤからＬＰＰ検出信号Ｓ６を取得し、受光信号Ｓ２から抽出されたＬＰＰ信号成分と受光信号Ｓ３から抽出されたＬＰＰ信号成分との位相差を検出する。そして、位相ディテクタ回路ＰＤは、検出した位相差に対応する位相差信号Ｓ７をサーボドライブ回路Ｓに供給する。
【００５５】
サーボドライブ回路Ｓは、供給された位相差信号Ｓ７に基づいて、第１記録層用ＨＲ１１２によって生じている球面収差やコマ収差などの収差を検出する。そして、サーボドライブ回路Ｓは、これらの収差が補正されるように、制御信号Ｓ８を収差補正素子１２１に供給し、収差補正素子１２１を制御する。
【００５６】
制御部Ｃは、主としてＣＰＵ（Central Processing Unit）により構成され、情報記録再生装置ＲＰの各部を制御する。情報記録再生装置ＲＰは、主に、再生部Ｐと、信号処理部ＳＰと、ピエゾ素子１２０と、を制御する。具体的には、制御部Ｃは、第１記録層用ＨＲ１１２から供給される受光信号Ｓ３に基づいて、光ディスクＤＫの第０記録層Ｌ０と第１記録層Ｌ１の間に生じている偏芯量を求め、この偏芯量が概ね「０」となるように、ピエゾ素子１２０に制御信号Ｓ１５を供給して、ピエゾ素子１２０を制御する。１つの例では、制御部Ｃは受光信号Ｓ３に基づいて第１記録層Ｌ１側のトラッキングエラー信号を生成し、そのトラッキングエラー量を第０記録層Ｌ０と第１記録層Ｌ１の間の偏芯量として使用することができる。前述のように、本実施例の光ピックアップＰＵでは、トラッキングサーボ回路ＴＳにより、第０記録層に対するトラッキング制御が行われており、Ｐ偏光光ビームＡ２は第０記録層上のトラックに追従している。よって、第１記録層Ｌ１から得られる受光信号Ｓ３に基づいて生成したトラッキングエラー量は、第０記録層と第１記録層との間の偏芯量を示すことになる。
【００５７】
更に、制御部Ｃは、再生部Ｐに制御信号Ｓ１６を供給すると共に、信号処理部ＳＰに制御信号Ｓ１７を供給して、前述のようにこれらを制御する。
【００５８】
［光ピックアップの集光方法］
次に、第０記録層Ｌ０と第１記録層Ｌ１へ同時に光ビームを集光させる方法について、図４及び図５を用いて詳細に説明する。
【００５９】
まず、前述したように、第０記録層用ＨＲ１１１の集光点Ｐ０と第１記録層用ＨＲ１１２のＳ偏光光ビームＢ２とが重ならないように、Ｐ偏光光ビームＡ２とＳ偏光光ビームＢ２を集光させている理由について、図４を用いて説明する。ここでは、記録層上の集光点に、別の記録層に集光される光ビームが照射された場合、例えば集光点Ｐ０にＳ偏光光ビームＢ２が照射された場合や、集光点Ｐ１にＰ偏光光ビームＡ２が照射された場合などに生じる問題点について説明する。
【００６０】
図４は、光ディスクＤＫ及び対物レンズを、光ディスクＤＫの半径方向に対して垂直な方向から観察した図であり、対物レンズ１０２を通過したＰ偏光光ビームＡ２とＳ偏光光ビームＢ２が光ディスクＤＫ上に集光される様子を示している。図４では、Ｐ偏光光ビームＡ２の集光点Ｐ０とＳ偏光光ビームＢ２の集光点Ｐ１が、共に、対物レンズ１０２の中心軸ＣＡ上に概ね位置する場合を示している。即ち、Ｐ偏光光ビームＡ２の光軸及びＳ偏光光ビームＢ２の光軸は、共に中心軸ＣＡに一致している。この場合、Ｓ偏光光ビームＢ２は、第０記録層Ｌ０上の集光点Ｐ０付近の符号Ｆ０で示す領域に照射されている。また、第０記録層Ｌ０を透過したＰ偏光光ビームＡ２は、第１記録層Ｌ１上の集光点Ｐ１付近の符号Ｆ１で示す領域に照射されている。
【００６１】
このように、一方の記録層上における光ビームの集光点に、ある程度の記録パワーを持った他方の光ビームが照射されると、この集光点において２つの光ビームが干渉してしまう場合がある。これにより、集光点Ｐ０、Ｐ１において記録されるデータにクロスライトが生じてしまう可能性があり、これは第０記録層及び第１記録層に同時に精度良く記録を行うことの妨げとなる。
【００６２】
次に、本実施例に係る光ピックアップＰＵが光ディスクＤＫに対して光ビームを集光させる方法について説明する。
【００６３】
本実施例に係る光ピックアップＰＵは、第０記録層用ＨＲ１１１の集光点Ｐ０に第１記録層用ＨＲ１１２のＳ偏光光ビームＢ２が重ならないように、且つ、第１記録層用ＨＲ１１２の集光点Ｐ１に第０記録層用ＨＲ１１１のＰ偏光光ビームＡ２が重ならないように構成される。これにより、集光点Ｐ０にはＳ偏光光ビームＢ２は照射されなくなり、集光点Ｐ１にはＰ偏光光ビームＡ２は照射されなくなる。
【００６４】
図５は、光ディスクＤＫ及び対物レンズ１０２を、光ディスクＤＫの半径方向に対して垂直な方向から観察した図であり、対物レンズ１０２を通過したＰ偏光光ビームＡ２とＳ偏光光ビームＢ２が光ディスクＤＫに集光される様子を示している。図示のように、第０記録層用ＨＲ１１１から出射されたＰ偏光光ビームＡ１は、対物レンズ１０２の中心軸ＣＡに概ね平行に入射する（即ち、Ｐ偏光光ビームＡ１の光軸は概ね中心軸ＣＡに一致している）のに対して、第１記録層用ＨＲ１１２から出射されたＳ偏光光ビームＢ１は、対物レンズ１０２の中心軸ＣＡに対して斜めに入射している。言い換えると、Ｐ偏光光ビームＡ１とＳ偏光光ビームＢ１の光軸はずれている。具体的には、対物レンズ１０２に入射する直前において、Ｐ偏光光ビームＡ１とＳ偏光光ビームＢ１は光軸が角度θだけずれており、Ｓ偏光光ビームＢ１は対物レンズ１０２の中心軸ＣＡに対して所定角度θだけずれて入射している。
【００６５】
対物レンズ１０２を通過したＰ偏光光ビームＡ２は、第０記録層Ｌ０の集光点Ｐ０に集光し、対物レンズ１０２を通過したＳ偏光光ビームＢ２は、第１記録層Ｌ１の集光点Ｐ１に集光する。この場合、集光点Ｐ０は、対物レンズ１０２の中心軸ＣＡ上に概ね位置するのに対して、Ｓ偏光光ビームＢ２の集光点Ｐ１は中心軸ＣＡ上に位置しない。具体的には、集光点Ｐ０と集光点Ｐ１は、光ディスクＤＫの回転方向を示す矢印Ｒの方向に沿って、距離Ｚだけずれている。したがって、Ｓ偏光光ビームＢ２は、集光点Ｐ０に重なっていない。また、第０記録層Ｌ０を透過したＰ偏光光ビームＡ２も、集光点Ｐ１に重なっていない。更に、光ディスクＤＫは矢印Ｒで示す方向に回転しているので、第１記録層用ＨＲ１１２から出射されたＳ偏光光ビームＢ２の集光点Ｐ１は、第０記録層用ＨＲ１１１から出射されたＰ偏光光ビームＡ２の集光点Ｐ０に対して先行している。
【００６６】
ここで、上記した所定角度θの決定方法について説明する。Ｐ偏光光ビームＡ１とＳ偏光光ビームＢ１との対物レンズ１０２への入射角の差である所定角度θは、集光点Ｐ０と集光点Ｐ１との光ディスクＤＫの回転方向に沿った距離Ｚに基づいて決定される。即ち、ピックアップＰＵの設計上、距離Ｚが最初に決定される。距離Ｚは、Ｓ偏光光ビームＢ２を少なくとも集光点Ｐ０に重ならないように第１記録層Ｌ１に集光させた場合の集光点Ｐ１の位置に基づいて決定される。即ち、距離Ｚは、光ディスクＤＫの第０記録層Ｌ０及び第１記録層Ｌ１の厚さ、対物レンズ１０２の焦点距離などを考慮して、Ｓ偏光光ビームＢ２が集光点Ｐ０に重ならないようにするために必要な距離に決定される。
【００６７】
続いて、所定角度θは、上記のように決定された距離Ｚを用いて式（１）に基づいて求められる。
【００６８】
Ｚ＝ｆ×ｔａｎθ    式（１）
式（１）の右辺の「ｆ」は、対物レンズ１０２の焦点距離を示している。したがって、所定角度θは、決定された距離Ｚと焦点距離ｆとを式（１）に代入することによって求められる。本実施例に係る光ピックアップＰＵにおいては、Ｐ偏光光ビームＡ１の対物レンズ１０２への入射角に対して、Ｓ偏光光ビームＢ１の対物レンズ１０２への入射角が所定角度θだけずれるように、第１記録層用ＨＲ１１２が配置される。具体的には、第１記録層用ＨＲ１１２から出射しビームスプリッタＢＳにより反射されたＳ偏光光ビームＢ１が、Ｐ偏光光ビームＡ１に対して所定角度θだけずれた入射角で対物レンズ１０２に入射するように、光ピックアップＰＵ内の第１記録層用ＨＲ１１２の配置角度や配置位置が設計される。例えば、第１記録層用ＨＲ１１２は、ビームスプリッタＢＳの入射面と平行にならないような角度で配置される。なお、Ｓ偏光光ビームＢ１が対物レンズ１０２に対して斜めに入射しているので、球面収差などの収差が生じる可能性が高いため、前述のように光ピックアップＰＵにはこの収差を補正することが可能な収差補正素子１２１が設けられている。
【００６９】
このように光ピックアップＰＵを構成することにより、第０記録層Ｌ０と第１記録層Ｌ１に対して２層同時に記録を行っても、第０記録層Ｌ０に記録される信号及び第１記録層Ｌ１に記録される信号にはクロスライトが生じない。したがって、光ピックアップＰＵは、２層型の光ディスクＤＫに対して、２層同時に適切に情報を記録することができる。なお、２層同時に情報を記録することにより、光ピックアップＰＵは、１層ずつ情報を記録する場合と比較して記録速度を概ね２倍にすることができる。例えば、１層（単層）の記録層のみに対して１６倍程度の記録速度で記録可能な装置であれば、２層同時に記録することにより、記録速度を３２倍程度にすることができる。
【００７０】
また、情報が記録済みである場合と未記録である場合とで、第０記録層の光透過率は異なってくる。具体的には、情報が記録済みである領域は、未記録である領域よりも光透過率が高くなる。よって、光ディスクＤＫが例えばＤＶＤ±Ｒなどの１回のみ記録可能なディスクの場合、図５に示すように、第１記録層Ｌ１上のＳ偏光光ビームＢ２の集光点Ｐ１を、第０記録層Ｌ０上のＰ偏光光ビームＡ２の集光点Ｐ０より先行させることにより、Ｓ偏光光ビームＢ２は常に未記録状態の第０記録層Ｌ０を透過して第１記録層Ｌ１に集光されることとなり、上記のような記録/未記録状態による透過率の変動の影響を除去することができる。
【００７１】
また、本実施例に係る光ピックアップＰＵは、１枚の対物レンズ１０２によってＰ偏光光ビームＡ１とＳ偏光光ビームＢ１を集光しているので、複数の対物レンズを用いて複数の光ビームを集光する構成と比較した場合、小型且つ簡便に構成することができる。
【００７２】
なお、上記の実施例では、第０記録層と第１記録層との間の偏芯を補正するためのピエゾ素子１２０を第１記録層用ＨＲ１１２側に設けているが、その代わりに第０記録層用ＨＲ１１１側に設けてもよい。即ち、第０記録層と第１記録層との間の偏芯を補正するためのピエゾ素子と、収差を補正するための収差補正素子とは、必ずしも同一の光ビーム系に設ける必要はない。
【００７３】
また、本発明は、２層型の光ディスクＤＫ用の光ピックアップへの適用に限定はされず、３層以上の多層型の光ディスク用の光ピックアップに対しても適用することができる。この場合には、光ピックアップは、光ディスクの記録層の数に対応するだけのホログラムレーザを備える。更に、各記録層に情報を記録するためのホログラムレーザは、複数のホログラムレーザが出射した光ビームが、各記録層の集光点と重ならないように構成される。
【００７４】
更に、上記の実施例は、光源及び受光部（ディテクタ）としての機能を有するホログラムレーザを用いて光ピックアップＰＵを構成するものを示したが、本発明の適用はこれに限定はされない。即ち、光源と受光部とが別々に設けられた光ピックアップに本発明を適用することもできる。
【００７５】
なお、本発明の適用は、第０記録層Ｌ０及び第１記録層Ｌ１の両方にグルーブトラック及びランドトラックを設けた構成の光ディスクの記録再生装置には限定されない。即ち、第０記録層Ｌ０のみにグルーブトラック及びランドトラックを設け、第１記録層Ｌ１にはグルーブトラック及びランドトラックを設けていない光ディスクの記録再生装置に本発明を適用することも可能である。この場合は、例えば第０記録層Ｌ０に設けられたグルーブトラック及びランドトラックを用いて、第１記録層Ｌ１への情報の記録及び第１記録層Ｌ１に記録された情報の再生が実行される。
【００７６】
なお、上記の実施例は、複数の記録層への同時記録について示したが、本発明に係る光ピックアップＰＵは、同様の原理によって、複数の記録層に記録された情報の同時再生も、クロストークを生じることなく適切に行うことができる。したがって、光ピックアップＰＵは、再生速度も向上させることができる。
【００７７】
［変形例］
（第１の変形例）
本発明は、図５に示すように、光ピックアップＰＵを、集光点Ｐ１が集光点Ｐ０に対して先行するように構成することに限定はされない。第１の変形例では、図６に示すように、集光点Ｐ１が集光点Ｐ０に対して後行するように光ピックアップを構成することができる。なお、第１の変形例に係る光ピックアップは、上記した光ピックアップＰＵと同一の構成要素を有している。
【００７８】
この場合には、光ディスクＤＫが例えばＤＶＤ±Ｒなどの１回のみ記録可能なディスクの場合、Ｓ偏光光ビームＢ２は常に記録済みの状態にある第０記録層Ｌ０を透過するため、第１記録層用ＨＲ１１２が出射する光ビームの記録パワーを小さくして、第１記録層Ｌ１への情報の記録を行えばよい。情報が記録済みである領域は、未記録である領域よりも光透過率が高くなるからである。また、Ｓ偏光光ビームＢ２は常に記録済みの状態である第０記録層Ｌ０を透過するため、第０記録層の記録/未記録状態による透過率の変動の影響を除去することができる。
【００７９】
（第２の変形例）
次に、第２の変形例に係る光ピックアップの構成について説明する。なお、第２の変形例に係る光ピックアップも、前述した光ピックアップＰＵと同一の構成要素を有している。
【００８０】
まず、第２の変形例に係る光ピックアップによる、光ビームの集光方法の基本概念について図７を用いて説明する。図７は、図５中の矢印Ｑ方向から光ディスクＤＫを観察した図であり、集光点Ｐ０、Ｐ１の位置を示している。また、矢印ｔａｎで示す方向は光ディスクＤＫの接線方向（図５中の回転方向Ｒに対応する）を示し、矢印ｒａｄで示す方向は光ディスクＤＫの半径方向を示している。更に、ハッチングされた領域ｔｒ１は、第０記録層Ｌ０の記録済みのトラックを示し、領域ｔｒ２は、第０記録層Ｌ０の未記録のトラックを示す。
【００８１】
図７（ａ）に示すように、集光点Ｐ１は、光ディスクＤＫの第０記録層Ｌ０と第１記録層Ｌ１との間の偏芯の差に対応する距離だけ変動してしまう場合がある。例えば、集光点Ｐ１は、情報の記録中に、半径方向ｒａｄにおいて矢印ｇ１、ｇ２で示す方向に移動する。このため、Ｓ偏光光ビームＢ２が集光点Ｐ０が現在位置する第０記録層Ｌ０のトラックを透過する場合、集光点Ｐ１が矢印ｇ２方向に移動することにより、Ｓ偏光光ビームＢ２は記録済みトラックｔｒ１だけでなく未記録トラックｔｒ２も透過することになる。言い換えると、集光点Ｐ０が位置する第０記録層Ｌ０のトラックに対応する（光ディスクＤＫの厚み方向において概ね同一の位置にある）第１記録層Ｌ１のトラックに集光点Ｐ１を位置させた場合には、Ｓ偏光光ビームＢ２が、記録済みトラックｔｒ１及び未記録トラックｔｒ２をまたがって透過してしまう場合がある。
【００８２】
このような場合、記録済みトラックｔｒ１と未記録トラックｔｒ２は光透過率が異なるため、第０記録層Ｌ０を透過するＳ偏光光ビームＢ２は、光透過率の変動の影響を受けてしまう。このため、第１記録層Ｌ１に記録されるデータは、Ｓ偏光光ビームＢ２が透過した第０記録層Ｌ０の記録状態（記録済みであるか未記録であるか）によって影響を受けてしまう。
【００８３】
したがって、第２の変形例に係る光ピックアップは、第０記録層の記録状態に左右されないように、集光点Ｐ１の位置が、集光点Ｐ０の位置に対して半径方向ｒａｄにずれるように構成されている。詳しくは、集光点Ｐ１が第０記録層Ｌ０と第１記録層Ｌ１の間の偏芯によって変動しても、Ｓ偏光光ビームＢ２が、常に第０記録層Ｌ０における記録済みトラックｔｒ１又は未記録トラックｔｒ２のいずれか一方のみを透過するように光ピックアップが構成されている。即ち、Ｓ偏光光ビームＢ２が、記録済みトラックｔｒ１と未記録トラックｔｒ２にまたがる位置に照射されないように光ピックアップは構成されている。なお、集光点Ｐ１の位置を半径方向ｒａｄにずらす量は、少なくとも、第０記録層Ｌ０と第１記録層Ｌ１との間の偏芯量に相当する量以上とすることが好ましい。
【００８４】
例えば、図７（ｂ）に示すように、集光点Ｐ１を符号ｇ５で示す場所に位置させることにより、即ち、Ｓ偏光光ビームＢ２が記録済みトラックｔｒ１のみを透過するようにすることにより、集光点Ｐ１が矢印ｇ３、ｇ４で示す方向に変動しても、Ｓ偏光光ビームＢ２は未記録トラックｔｒ２を透過することはない。なお、光ピックアップ内のピエゾ素子１２０又は収差補正素子１２１を調節することにより、半径方向ｒａｄにおける所望の場所に集光点Ｐ１を位置させることができる。  次に、第２の変形例に係る光ピックアップによる光ビームの集光方法について、図８を用いて具体的に説明する。図８も、図７と同様に、図５中の矢印Ｑ方向から光ディスクＤＫを観察した図であり、集光点Ｐ１、Ｐ２の位置を示している。
【００８５】
図８（ａ）に示すように、符号ｈ１又は符号ｈ２で示す場所に集光点Ｐ１が位置するように光ピックアップを構成することにより、Ｓ偏光光ビームＢ２は第０記録層Ｌ０の記録済みトラックｔｒ１のみを常に透過することとなる。なお、集光点Ｐ１を符号ｈ１で示す場所に位置させた場合には、集光点Ｐ１は集光点Ｐ０に対して後行する。集光点Ｐ１を符号ｈ２で示す場所に位置させた場合には、集光点Ｐ１は集光点Ｐ０に対して先行する。
【００８６】
一方、符号ｈ３、ｈ４で示す場所に集光点Ｐ１が位置するように光ピックアップを構成することにより、Ｓ偏光光ビームＢ２は第０記録層Ｌ０の未記録トラックｔｒ２のみを常に透過することとなる。なお、集光点Ｐ１を符号ｈ３で示す場所に位置させた場合には、集光点Ｐ１は集光点Ｐ０に対して後行し、集光点Ｐ１を符号ｈ４で示す場所に位置させた場合には、集光点Ｐ１は集光点Ｐ０に対して先行する。
【００８７】
更に、他の例では、図８（ｂ）に示すように、光ディスクＤＫの接線方向ｔａｎにおける同一位置に集光点Ｐ０、Ｐ１が位置するように光ピックアップを構成してもよい。即ち、集光点Ｐ１、Ｐ０は半径方向ｒａｄにおける位置は異なるが、集光点Ｐ１は集光点Ｐ０に対して先行も後行もしない。なお、集光点Ｐ１を符号ｈ５で示す場所に位置させた場合には、Ｓ偏光光ビームＢ２は記録済みトラックｔｒ１を透過し、集光点Ｐ１を符号ｈ６で示す場所に位置させた場合には、Ｓ偏光光ビームＢ２は未記録トラックｔｒ２を透過する。
【００８８】
このように、第２の変形例に係る光ピックアップによれば、集光点Ｐ１が第０記録層Ｌ０と第１記録層Ｌ１の間の偏芯によって半径方向ｒａｄに変動しても、集光点Ｐ１が集光点Ｐ０に対して半径方向ｒａｄにずれていることによって、Ｓ偏光光ビームＢ２は第０記録層Ｌ０の記録状態に影響を受けることがないため、第１記録層Ｌ１に適切にデータを記録することが可能となる。
【図面の簡単な説明】
【００８９】
【図１】本発明の実施例に係る光ディスクの概略構成を示す図である。
【図２】本発明の実施例に係る情報記録再生装置の概略構成を示すブロック図である。
【図３】ピエゾ素子及び収差補正素子を制御したときの光ビームの光路の変化を具体的に示す図である。
【図４】２層の記録層への同時記録を行った際に生じる問題点を説明するための図である。
【図５】本発明の実施例に係る光ピックアップが出射した光ビームが、２層の記録層に集光される様子を示した図である。
【図６】第１の変形例に係る光ピックアップが出射した光ビームが、２層の記録層に集光される様子を示した図である。
【図７】第２の変形例に係る光ピックアップによる、光ビームの集光方法の基本概念について説明するための図である。
【図８】第２の変形例における、第２記録層上の集光点の位置の具体例を示す図である。
【符号の説明】
【００９０】
１０１  アクチュエータ部
１０２  対物レンズ
１１１  第０記録層用ＨＲ
１１２  第１記録層用ＨＲ
１２０  ピエゾ素子
１２１  収差補正素子
ＤＫ  光ディスク
Ｌ０  第０記録層
Ｌ１  第１記録層
ＲＰ  情報記録再生装置
ＰＵ  光ピックアップ
Ｃ  制御部
ＢＳ  ビームスプリッタ
【図１】
2006164374.tif 000003
【図２】
2006164374.tif 000004
【図３】
2006164374.tif 000005
【図４】
2006164374.tif 000006
【図５】
2006164374.tif 000007
【図６】
2006164374.tif 000008
【図７】
2006164374.tif 000009
【図８】
2006164374.tif 000010